(57)【要約】【課題】独立して駆動される複数の可動光学素子群を備え、外形をコンパクト化したレンズ鏡筒を提供する。【解決手段】レンズ鏡筒１を、光軸方向にそれぞれ移動可能に支持された第１の光学素子群４０、第２の光学素子群５０と、第１の光学素子群４０、第２の光学素子群５０にそれぞれ接続された第１の被駆動部材４２、第２の被駆動部材５２と、第１の被駆動部材４２、第２の被駆動部材５２をそれぞれ光軸Ｉ２方向に駆動する第１の駆動軸１１０、第２の駆動軸１２０と、第１の駆動軸１１０の対物側の端部に接続され第１の駆動軸１１０を駆動する第１の駆動部１３０と、第２の駆動軸１２０の像側の端部に接続されかつ光軸Ｉ２方向から見てその少なくとも一部が第１の駆動部１３０と重なった位置に配置され、第２の駆動軸１２０を駆動する第２の駆動部１４０とを備える構成とする。【選択図】図１
2006258848.tif 000002
【特許請求の範囲】
【請求項１】
光軸方向に移動可能に支持された第１の光学素子群と、
前記第１の光学素子群に接続された第１の被駆動部材と、
前記第１の光学素子群に対して該第１の光学素子群の光軸方向に配列され、前記第１の光学素子群と独立して前記光軸方向に移動可能に支持された第２の光学素子群と、
前記第２の光学素子群に接続された第２の被駆動部材と、
前記光軸と平行に配置され、前記第１の被駆動部材を前記光軸方向に駆動する第１の駆動軸と、
前記光軸と平行に配置され、前記第２の被駆動部材を前記光軸方向に駆動する第２の駆動軸と、
前記第１の駆動軸の光軸方向対物側の端部に接続され、前記第１の駆動軸を駆動する第１の駆動部と、
前記第２の駆動軸の前記光軸方向像側の端部に接続されかつ前記光軸方向から見てその少なくとも一部が前記第１の駆動部と重なった位置に配置され、前記第２の駆動軸を駆動する第２の駆動部と
を備えるレンズ鏡筒。
【請求項２】
請求項１に記載のレンズ鏡筒において、
前記第１の光学素子群、前記第２の光学素子群を収容する鏡胴部に対して着脱可能に装着され、前記第１の駆動軸、前記第２の駆動軸、前記第１の駆動部、前記第２の駆動部がそれぞれ支持される支持部材を備えること
を特徴とするレンズ鏡筒。
【請求項３】
請求項１又は請求項２に記載のレンズ鏡筒において、
前記第１の光学素子群及び前記第２の光学素子群の前記光軸方向における移動をガイドし、前記光軸に対して前記第１の駆動軸及び前記第２の駆動軸が設けられた側の領域に配置されたガイド部を備えること
を特徴とするレンズ鏡筒。
【請求項４】
請求項３に記載のレンズ鏡筒において、
前記ガイド部は、前記第１の光学素子群のガイドに用いられる範囲と、前記第２の光学素子群のガイドに用いられる範囲の少なくとも一部が前記光軸方向において重なって設けられること
を特徴とするレンズ鏡筒。
【請求項５】
請求項１から請求項４までのいずれか１項に記載のレンズ鏡筒において、
前記第１の光学素子群及び前記第２の光学素子群に対して光軸方向における像側に配置された光量調整部と、
前記第２の駆動部に対して前記光軸を挟んだ反対側に配置され、前記光量調整部を駆動する光量調整部駆動部と
を備えることを特徴とするレンズ鏡筒。
【請求項６】
光軸方向に移動可能に支持された第１の光学素子群と、
前記第１の光学素子群に接続された第１の被駆動部材と、
前記第１の光学素子群に対して該第１の光学素子群の光軸方向に配列され、前記第１の光学素子群と独立して前記光軸方向に移動可能に支持された第２の光学素子群と、
前記第２の光学素子群に接続された第２の被駆動部材と、
前記光軸と平行に配置され、前記第１の被駆動部材を前記光軸方向に駆動する第１の駆動軸と、
前記光軸と平行に配置され、前記第２の被駆動部材を前記光軸方向に駆動する第２の駆動軸と、
前記第１の駆動軸の端部に接続され、前記第１の駆動軸を駆動する第１の駆動部と、
前記第２の駆動軸の端部に接続され、前記第２の駆動軸を駆動する第２の駆動部と、
前記第１の光学素子群、前記第２の光学素子群を収容する鏡胴部に対して着脱可能に装着され、前記第１の駆動軸、前記第２の駆動軸、前記第１の駆動部、前記第２の駆動部がそれぞれ支持される支持部材と
を備えるレンズ鏡筒。
【発明の詳細な説明】
【技術分野】
【０００１】
本発明は、その光軸方向にそれぞれ独立して駆動される複数の光学素子群を有するレンズ鏡筒に関するものである。
【背景技術】
【０００２】
カメラの撮影用光学系は、その光軸方向に沿ってそれぞれ独立して移動する複数の可動レンズ群を備えたものが知られている。
このような多群構成の光学系を備えたレンズ鏡筒は、光軸と平行に延在するリードスクリューと、可動レンズ群に接続されこのリードスクリューと係合するネジ部を有する伝達部とを設け、リードスクリューを回転駆動することによって可動レンズ群を光軸方向に駆動するものが知られている。このようなリードスクリューは、可動レンズ群毎にそれぞれ設けられ、例えば２つの可動レンズ群を有するレンズ鏡筒においては、光学系に隣接して２本のリードスクリューを配列し、その一方の端部に各リードスクリューを回転駆動するモータを並べて配置したものが知られている（例えば、特許文献１）。
【０００３】
しかし、レンズ鏡筒は、上述したように光軸と平行に配置された複数のリードスクリューを並列配置されたモータによって駆動する場合、モータのサイズによる制約からリードスクリューの軸間距離を小さくすることが難しく、レンズ鏡筒の光軸と直交する方向（リードスクリューの配列方向）の寸法をコンパクトにすることが困難であった。
またレンズ鏡筒は、その途中でプリズム等の屈曲部によって光軸方向を変換するいわゆる屈曲光学系を備えたものが近年普及している。このような屈曲光学系を備えたカメラは、その可動レンズ群の駆動方向と直交する方向（対物レンズの光軸方向）の寸法をコンパクト化し、カメラの外形を薄型にすることが強く要望されている。
【特許文献１】特開２００３−２４１０５６号公報
【発明の開示】
【発明が解決しようとする課題】
【０００４】
本発明の課題は、独立して駆動される複数の可動光学素子群を備え、外形をコンパクト化したレンズ鏡筒を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
【０００６】
請求項１の発明は、光軸（Ｉ２）方向に移動可能に支持された第１の光学素子群（４０）と、前記第１の光学素子群（４０）に接続された第１の被駆動部材（４２）と、前記第１の光学素子群（４０）に対して該第１の光学素子群（４０）の光軸（Ｉ２）方向に配列され、前記第１の光学素子群（４０）と独立して前記光軸（Ｉ２）方向に移動可能に支持された第２の光学素子群（５０）と、前記第２の光学素子群（５０）に接続された第２の被駆動部材（５２）と、前記光軸（Ｉ２）と平行に配置され、前記第１の被駆動部材（４２）を前記光軸（Ｉ２）方向に駆動する第１の駆動軸（１１０）と、前記光軸（Ｉ２）と平行に配置され、前記第２の被駆動部材（５２）を前記光軸（Ｉ２）方向に駆動する第２の駆動軸（１２０）と、前記第１の駆動軸（１１０）の光軸（Ｉ２）方向対物側の端部に接続され、前記第１の駆動軸（１１０）を駆動する第１の駆動部（１３０）と、前記第２の駆動軸（１２０）の前記光軸（Ｉ２）方向像側の端部に接続されかつ前記光軸（Ｉ２）方向から見てその少なくとも一部が前記第１の駆動部（１３０）と重なった位置に配置され、前記第２の駆動軸（１２０）を駆動する第２の駆動部（１４０）とを備えるレンズ鏡筒（１）である。
【０００７】
請求項２の発明は、請求項１に記載のレンズ鏡筒（１）において、前記第１の光学素子群（４０）、前記第２の光学素子群（５０）を収容する鏡胴部（２）に対して着脱可能に装着され、前記第１の駆動軸（１１０）、前記第２の駆動軸（１２０）、前記第１の駆動部（１３０）、前記第２の駆動部（１４０）がそれぞれ支持される支持部材（３）を備えることを特徴とするレンズ鏡筒（１）である。
請求項３の発明は、請求項１又は請求項２に記載のレンズ鏡筒（１）において、前記第１の光学素子群（４０）及び前記第２の光学素子群（５０）の前記光軸（Ｉ２）方向における移動をガイドし、前記光軸（Ｉ２）に対して前記第１の駆動軸（１１０）及び前記第２の駆動軸（１２０）が設けられた側の領域に配置されたガイド部（４）を備えることを特徴とするレンズ鏡筒（１）である。
請求項４の発明は、請求項３に記載のレンズ鏡筒において、前記ガイド部（４）は、前記第１の光学素子群（４０）のガイドに用いられる範囲と、前記第２の光学素子群（５０）のガイドに用いられる範囲の少なくとも一部が前記光軸（Ｉ２）方向において重なって設けられることを特徴とするレンズ鏡筒（１）である。
請求項５の発明は、請求項１から請求項４までのいずれか１項に記載のレンズ鏡筒（１）において、前記第１の光学素子群（４０）及び前記第２の光学素子群（５０）に対して光軸（Ｉ２）方向における像側に配置された光量調整部と、前記第２の駆動部（５０）に対して前記光軸（Ｉ２）を挟んだ反対側に配置され、前記光量調整部を駆動する光量調整部駆動部（６２）とを備えることを特徴とするレンズ鏡筒（１）である。
【０００８】
請求項６の発明は、光軸（Ｉ２）方向に移動可能に支持された第１の光学素子群（４０）と、前記第１の光学素子群（４０）に接続された第１の被駆動部材（４２）と、前記第１の光学素子群（４０）に対して該第１の光学素子群（４０）の光軸（Ｉ２）方向に配列され、前記第１の光学素子群（４０）と独立して前記光軸（Ｉ２）方向に移動可能に支持された第２の光学素子群（５０）と、前記第２の光学素子群（５０）に接続された第２の被駆動部材（５２）と、前記光軸（Ｉ２）と平行に配置され、前記第１の被駆動部材（４２）を前記光軸（Ｉ２）方向に駆動する第１の駆動軸（１１０）と、前記光軸（Ｉ２）と平行に配置され、前記第２の被駆動部材（５２）を前記光軸（Ｉ２）方向に駆動する第２の駆動軸（１２０）と、前記第１の駆動軸（１１０）の端部に接続され、前記第１の駆動軸（１１０）を駆動する第１の駆動部（１３０）と、前記第２の駆動軸（１２０）の端部に接続され、前記第２の駆動軸（１２０）を駆動する第２の駆動部（１４０）と、前記第１の光学素子群（４０）、前記第２の光学素子群（５０）を収容する鏡胴部（２）に対して着脱可能に装着され、前記第１の駆動軸（１１０）、前記第２の駆動軸（１２０）、前記第１の駆動部（１３０）、前記第２の駆動部（１４０）がそれぞれ支持される支持部材（３）とを備えるレンズ鏡筒（１）である。
【発明の効果】
【０００９】
本発明によれば、以下の効果を奏することができる。
（１）第１の駆動部及び第２の駆動部を、それぞれ第１の駆動軸及び第２の駆動軸の異なった側の端部に互い違いに装着したから、第１の駆動軸と第２の駆動軸との軸間距離を、第１の駆動部と第２の駆動部の一部とが光軸方向から見て重なる位置まで短縮することができ、これら第１の駆動軸、第２の駆動軸の配列方向におけるレンズ鏡筒のサイズをコンパクト化することができる。
（２）第１の駆動軸、第２の駆動軸、第１の駆動部、第２の駆動部をそれぞれ支持し、鏡  胴部に対して着脱可能な支持部材を設けたから、この支持部材に各駆動軸、駆動部を予め組み付けてモジュール化した状態にすることにより、２つの駆動軸、駆動部を１回の取付作業で鏡胴部に装着することができるため、レンズ鏡筒の組立工程を簡素化することができる。
（３）第１の光学素子群、第２の光学素子群をガイドするガイド部を第１の駆動軸、第２の駆動軸と隣接して設けることができるため、駆動力によって第１の光学素子群、第２の光学素子群がガイド部との接続部回りに回転して光軸に対して傾斜することを防止でき、ガイド部における摩擦を低減するとともに、駆動精度を確保することができる。
（４）光量調整部駆動部を、第２の駆動部に対して光軸を挟んだ反対側に配置したから、光軸方向においてこれらを配置するのに必要なスペースを小さくすることができる。
【発明を実施するための最良の形態】
【００１０】
本発明は、独立して駆動される複数の可動光学素子群を備え、外形をコンパクト化したレンズ鏡筒を提供するという目的を、２つのレンズ群をそれぞれ駆動するリードスクリューを隣接して配置し、各リードスクリューを駆動するモータを、対応するリードスクリューの光軸方向対物側、像側に互い違いに配置することによって実現した。
【実施例】
【００１１】
以下、図面等を参照して、本発明の実施例をあげて、さらに詳しく説明する。
図１は、本発明を適用したレンズ鏡筒の実施例を対物レンズの光軸側から見た外観図である。図２は、図１のII−II部矢視断面図である。図３は、図２のIII―III部矢視断面図である。図４は、図３のIV−IV部矢視断面図である。図５は、図３のV−V部矢視断面図である。
【００１２】
実施例のレンズ鏡筒１は、その途中で光軸の方向を変換するいわゆる屈曲光学系を備え、例えばデジタルスチルカメラの撮影用レンズ鏡筒として用いられるものである。
レンズ鏡筒１は、鏡胴部２と、モータホルダ部３と、ガイド軸４と、回転防止軸５とを備えている（ガイド軸４、回転防止軸５は図３参照）。
鏡胴部（鏡筒本体）２は、略直方体のボックス状に形成され、その内部に後述する屈曲光学系を収容するものである。
モータホルダ部３は、鏡胴部２の側部に対して着脱可能に装着され、後述するリードスクリュー１１０，１２０及びモータ１３０，１４０を支持するものである。モータホルダ部３は、その鏡胴部２との接合部に開口を有するボックス状に形成されている。また、鏡胴部２のモータホルダ部３側の部分にも開口が形成され、鏡胴部２とモータホルダ部３は、これらの開口どうしを対向させて接合されることによって、その内部に連続した空間部が形成されるものである。
なお、これらの鏡胴部２及びモータホルダ部３は、それぞれ樹脂系材料をインジェクション成形することによって形成されている。
ガイド軸４は、鏡胴部２の内部に設けられ、光軸Ｉ２と平行して延在する丸棒状の部材であって、後述する第２レンズ群４０及び第３レンズ群５０をその光軸方向にガイドするものである。
回転防止軸５は、ガイド軸４に対して第２レンズ群４０及び第３レンズ群５０を挟んだ反対側の領域に設けられ、光軸Ｉ２と平行して延在する丸棒状の部材であって、第２レンズ群４０及び第３レンズ群５０がガイド軸４回りに回転することを防止するものである。
【００１３】
鏡胴部２は、その内部に収容される光学系として、対物レンズ１０と、プリズム２０と、第１レンズ群３０と、第２レンズ群４０と、第３レンズ群５０と、シャッタユニット６０と、第４レンズ群７０と、ローパスフィルタ（ＬＰＦ）８０と、ＣＣＤ９０とを備えている。
【００１４】
対物レンズ１０は、鏡胴部２の被写体側の面部の通常撮影時における上端部付近に形成された開口部に隣接して固定されている。
プリズム２０は、鏡胴部２の対物レンズ１０の射出側の領域に固定され、対物レンズ１０から出た像光の方向を例えば９０度変換する屈曲部である。
【００１５】
第１レンズ群３０は、鏡胴部２のプリズム２０の射出側（通常撮影時における下側）の領域に固定されている。なお、この第１レンズ群３０以降の光学系の光軸Ｉ２は、対物レンズ１０の光軸Ｉ１に対して直交して配置されている。この光軸Ｉ２は、カメラの通常撮影時において略鉛直方向に配置される。
第１レンズ群３０は、その光軸Ｉ２方向に入光側から順次配列されたレンズ３１，３２を張り合わせて構成され、レンズ３１は、レンズ３２よりもその外径を大きく形成されている。第１レンズ群３０は、レンズ３１の外周縁部がレンズ３２から突き出した部分を、鏡胴部２に形成された凹部に固定することによってその位置決めが行われる。
【００１６】
図６は、対物レンズ１０及び第１レンズ群３０の構成を示す図である。図６（ａ）は、第１レンズ群３０を光軸Ｉ１，Ｉ２にそれぞれ直交する方向から見た図であり、図６（ｂ）、図６（ｃ）はそれぞれ図６（ａ）のｂ−ｂ部矢視図及びｃ−ｃ部矢視図である。
対物レンズ１０は、その外周縁部のうち第１レンズ群３０に隣接した部分を切り落としたＤカット形状に形成され、この部分の端面１０ａは、通常撮影時における下側に面した平坦面になっている。
一方、第１レンズ群３０のレンズ３１，３２は、それぞれその外周縁部のうち対物レンズ１０に隣接した部分を切り落としたＤカット形状に形成され、この部分の端面３１ａ，３２ａは、光軸Ｉ１の対物側に面した平坦面になっている。そして、第１レンズ群３０は、レンズ３１の端面３１ａを、対物レンズ１０の裏面側に微小な間隔を隔てて対向させて配置されている。
【００１７】
第２レンズ群４０は、鏡胴部２の第１レンズ群３０の射出側の空間部内に配置され、鏡胴部２に対して光軸Ｉ２方向に移動可能に支持された第１の可動光学素子群である。
第２レンズ群４０は、その周囲に備えられた枠体であるレンズホルダ４１を有し、この可動レンズホルダ４１は、ガイド軸４及び回転防止軸５に対してその長手方向に摺動することによって光軸Ｉ２方向に移動する。
図３に示すように、ガイド軸４及び回転防止軸５は、レンズホルダ４１の光軸Ｉ２を挟んだ両側の領域に設けられ、それぞれ光軸Ｉ２と平行に延在している。
【００１８】
図５に示すように、レンズホルダ４１は、開口部４１ａと、溝部４１ｂとを備えている。
開口部４１ａは、ガイド軸４が挿入されるものであって、その直径はガイド軸４の直径に対して不可避的に設けられるクリアランスだけ大きく設定されている。
溝部４１ｂは、回転防止軸５が挿入されるものであって、レンズホルダ４１の外縁部を凹ませて形成され、その溝幅は回転防止軸５の直径に対して不可避的に設けられるクリアランスだけ大きく設定されている。なお、回転防止軸５は、溝部４１ｂの延在方向においてはレンズホルダ４１を拘束せず、万一開口部４１ａと溝部４１ｂとの間に寸法のばらつきがあった場合にその吸収が可能となっている。
【００１９】
また、レンズホルダ４１は、レンズホルダナット４２を備えている。レンズホルダナット４２は、後述するリードスクリュー１１０がその内部に挿入される溝部の一方の内面に、このリードスクリュー１１０と係合するめネジ部が形成された第１の被駆動部材であって、この溝部を挟んだ二股状に形成されている。レンズホルダナット４２は、レンズホルダ４１の外周縁部に光軸Ｉ２と平行に配置された軸部４１ｃ回りに回転可能に支持されるとともに、バネ４２ａ，５２ａ（図８参照）によってその一方の回転方向側に付勢され、めネジ部が後述するリードスクリューの表面に押圧されるようになっている。
【００２０】
第３レンズ群５０は、第２レンズ群４０の射出側に設けられ、鏡胴部２の第２レンズ群４０を収容する空間部内に収容されている。第３レンズ群５０は、鏡胴部２に対して光軸Ｉ２方向に移動可能に支持された第２の可動光学素子群である。
第３レンズ群５０は、その周囲に備えられた枠体であるレンズホルダ５１を有し、この可動レンズホルダ５１は、上述した可動レンズホルダ４１と同様にガイド軸４及び回転防止軸５によって、光軸Ｉ２方向に移動可能に支持されている。
また、レンズホルダ５１は、上述したレンズホルダ４１のレンズホルダナット４２と同様に構成され、後述するリードスクリュー１２０と係合されるレンズホルダナット５２を備えている。
なお第２レンズ群４０の移動範囲と第３レンズ群５０の移動範囲とは、その一部が相互に重なった範囲に設定されている。
【００２１】
シャッタユニット６０は、第３レンズ群５０から出て第４レンズ群７０に入光する像光を遮断するシャッタ幕を有するシャッタ部と、シャッタ部の対物側に配置され、像光の光量を低減するＮＤフィルタを備えた絞り部（光量調整部）とを備えている。この絞り部は、図示しない制御部が出力する挿入指示信号、退避信号に応じて所定のＮＤフィルタを光路上に出し入れするものである。
シャッタユニット６０は、これらのシャッタ部、ＮＤフィルタをそれぞれ駆動するシャッタ駆動部６１及びＮＤフィルタ駆動部６２をそれぞれ備えている。
シャッタ駆動部６１及びＮＤフィルタ駆動部６２は、光路を挟んだ両側にそれぞれ設けられ、光軸Ｉ２方向における位置は、シャッタ駆動部６１は後述するモータ１４０の光軸Ｉ２方向像側に隣接して配置され、ＮＤフィルタ駆動部６２は、シャッタ駆動部６１よりも光軸Ｉ２方向対物側にオフセットして配置されている。
【００２２】
第４レンズ群７０は、鏡胴部２のシャッタユニット６０の射出側の領域に固定されている。
ＬＰＦ８０は、鏡胴部２の第４レンズ群の射出側の領域に固定された光学式のローパスフィルタである。
【００２３】
ＣＣＤ９０は、ＬＰＦから出た像光が結像され、その像を電気的な信号として取得する撮像素子である。
図７は、レンズ鏡筒１をＣＣＤ９０が設けられる側から見た外観斜視図である。
ＣＣＤ９０は、その背面側に固定された基板９１に支持されている。図３に示すように、基板９１は、これと対向する鏡胴部２の端面２ａとの間に弾性部材（バネ）９２を介して装着されている。
端面２ａは、ここから突き出して形成されたピン２ｂを備え、このピン２ｂが基板９１に形成された開口９１ａに挿入されることによって基板９１の光軸Ｉ２と直交する方向における位置決めがなされている。
【００２４】
基板９１は、その外周縁部に分散して配置された例えば３本のビス９３を鏡胴部２の端面２ａに対してねじ込み、締結することによって固定されている。ここで、ビス９３をねじ込むことによって、上述した弾性部材９２が押圧されて弾性変形するが、その変形量はビス９３の締付量に依存する。そして、３本のビス９３のうち一部のものを締め付け、又は緩めることによって、基板９１を光軸Ｉ２に対して任意の方向へ傾斜することができ、このように基板９１を傾斜させることによってＣＣＤ９０の撮像面が光学系に起因する像面の倒れに適合するように角度調整が行われる。
【００２５】
図４に示すように、モータホルダ部３は、リードスクリュー１１０，１２０と、モータ１３０，１４０を備えている。
リードスクリュー１１０，１２０は、それぞれ光軸Ｉ２と平行に延在して配置され、その外周面にネジ部が形成された駆動軸であって、光軸Ｉ１方向に配列され、リードスクリュー１２０が光軸Ｉ１方向において対物側に配置されている。リードスクリュー１１０，１２０は、モータホルダ部３に対して、それぞれの中心軸回りに回転可能に支持されている。
リードスクリュー１１０は、第１レンズ群４０のレンズホルダ４１に接続されたレンズホルダナット４２と係合し、第１レンズ群４０の光軸Ｉ２方向の駆動を行うものである。
リードスクリュー１２０は、第２レンズ群５０のレンズホルダ５１に接続されたレンズホルダナット５２と係合し、第２レンズ群５０の光軸Ｉ２方向の駆動を行うものである。
【００２６】
モータ１３０は、リードスクリュー１１０を回転駆動するものであって、リードスクリュー１１０の光軸Ｉ２方向対物側（上側）の端部に接続されている。
モータ１３０は、リードスクリュー１１０と略同心の円筒状に形成されたハウジングを備え、このハウジングのリードスクリュー１１０側の端面からその外径側に突き出して形成されたフランジ部１３１をビス１３２によりモータホルダ部３に締結することによって固定されている（フランジ部１３１、ビス１３２は図１０を参照）。
【００２７】
モータ１４０は、リードスクリュー１２０を回転駆動するものであって、リードスクリュー１２０の光軸Ｉ２方向像側（下側）の端部に接続されている。このモータ１４０は、光軸Ｉ２方向から見た場合にその一部がモータ１３０と重なった位置に配置されている。
モータ１４０は、リードスクリュー１２０と略同心の円筒状に形成されたハウジングを備え、このハウジングのリードスクリュー１２０側の端面からその外径側に突き出して形成されたフランジ部１４１をビス１４２によりモータホルダ部３に締結することによって固定されている（フランジ部１４１、ビス１４２は図１０を参照）。
【００２８】
なお、リードスクリュー１１０，１２０のモータ１３０，１４０が接続される側と反対側の端部１１０ａ，１２０ａは、鏡胴部２にそれぞれ形成された凹部３ａ、３ｂにそれぞれ挿入されている。この凹部３ａ，３ｂは、モータホルダ３の材料よりも摩擦係数が小さい異なる材料によって形成してもよい。これによって、リードスクリュー１１０，１２０はいわゆる両持ち支持されることになり、回転時の振れが低減される。
【００２９】
また、レンズ鏡筒１は、図５に示すように、可動レンズ群である第２レンズ群４０、第３レンズ群５０それぞれの位置を検出する位置検出器１５０を備えている。
位置検出器１５０は、図１から図４では図示を省略するが、第２レンズ群４０、第３レンズ群５０のそれぞれに例えば１対ずつ備えられ、各レンズ群の位置検出器１５０は、検出対象となるレンズ群の移動範囲の両端部近傍にそれぞれ配置されている。
【００３０】
位置検出器１５０は、鏡胴部２のレンズホルダ４１、５１と対向する内壁面部に備えられ、レンズホルダ４１（５１）の外周縁部から突き出した突起部１５１の通過を検出するフォトインタラプタを備えている。このフォトインタラプタは、突起部１５１が通過する間隔を隔てて対向して配置されたＬＥＤとＳＰＤとを備え、ＬＥＤから出た光が突起部１５１によって遮られたか否かを検出するものである。
このレンズ鏡筒１に備えられる図示しない制御部は、モータ１３０，１４０を駆動して第２レンズ群４０、第３レンズ群５０をそれぞれその移動範囲にわたって駆動し、このとき各レンズ群の突起部１５１が対応する位置検出器１５０を通過するタイミングに応じて、制御部は各レンズ群の位置割り出しを行う。
【００３１】
次に、本実施例のレンズ鏡筒１の組立方法について説明する。
本実施例においては、モータホルダ部３にリードスクリュー１１０，１２０、モータ１３０，１４０を予め装着してモジュール化した状態で鏡胴部２に装着している。
図８は、モータホルダ部３の鏡胴部２への装着方法を示す模式図であって、図８（ａ）は装着前の状態を示し、図８（ｂ）は装着後の状態を示している。
なお、図８は、図示及び理解の容易のために、各部材の構成等は簡略化して図示している。
【００３２】
図８に示すように、モータホルダ部３は、光軸Ｉ１、Ｉ２とそれぞれ略直交する方向に沿って鏡胴部２に装着される。レンズホルダナット４２，５２は、それぞれこの装着方向に延在し、そのモータホルダ部３側の端部が開いた溝部を備え、その内部の一端面にめネジ部が形成されているから、上述したようにモータホルダ部３を鏡胴部２に装着することによって、リードスクリュー１１０，１２０は、それぞい対応するレンズホルダナット４２，５２の溝部内に挿入される。
【００３３】
そして、モータホルダ部３は、鏡胴部２のモータホルダ部３側の端部に形成された弾性を有する爪部２ｃを、モータホルダ部３の対応する位置に形成された開口部３ｃに嵌め込んで係止させることによって鏡胴部２に固定される。
なお、鏡胴部２とモータホルダ部３との接合部には、これらが対向する面間に挟まれて配置され、例えばゴム等の弾性を有する材料によって形成された弾性部材６が設けられ、この弾性部材６の反発力により爪部２ｃにテンションがかかることによって、鏡胴部２とモータホルダ部３との位置関係が安定し、リードスクリュー１１０，１２０とレンズホルダナット４２，５２との位置関係が略一定に保たれるようになっている。
【００３４】
次に、上述した本実施例の効果を本発明の比較例と対比して説明する。
なお、比較例は、上述した実施例と同様の部分については説明を省略し、主に相違点について説明する。
図９は、本発明の比較例であるレンズ鏡筒におけるリードスクリューとモータとの配置を示す図である。
比較例においては、モータホルダ部２００は、リードスクリュー２１０，２２０と、モータ２３０，２４０とを備えている。
リードスクリュー２１０，２２０は、実施例のリードスクリュー１１０，１２０と同様に、レンズホルダナット４２，５２を駆動するものであって、それぞれ光軸Ｉ２に対して平行に配置されている。
モータ２３０，２４０は、それぞれリードスクリュー２１０，２２０の光軸Ｉ２方向対物側の端部に並列して配置されている。
このような比較例の場合は、モータ２３０，２４０のハウジング直径をそれぞれＣ、Ｄとした場合、リードスクリュー２１０，２２０の軸間距離Ｄ２は、（Ｃ＋Ｄ）／２よりも小さくすることができず、例えば実施例と同様の屈曲光学系を備えたレンズ鏡筒の場合、対物レンズの光軸方向における厚さが大きくなってしまう。
【００３５】
これに対し、図１０は、本実施例のレンズ鏡筒１におけるリードスクリューとモータとの配置を示す図である。
本実施例の場合は、モータ１３０，１４０をリードスクリュー１１０，１２０それぞれの反対側の端部に互い違いに配置しているから、これらのハウジング直径をそれぞれＡ、Ｂとした場合、リードスクリュー１１０，１２０の軸間距離Ｄ１を（Ａ＋Ｂ）／２よりも小さくすることができ、対物レンズ１０の光軸Ｉ１方向における厚さを小さくすることができる。
【００３６】
以上のように、本実施例によれば、以下の効果を奏することができる。
（１）モータ１３０，１４０を、それぞれリードスクリュー１１０，１２０の異なった側の端部に互い違いに装着したから、リードスクリュー１１０，１２０の軸間距離を、モータ１３０，１４０の一部が光軸Ｉ２方向から重なる位置まで短縮することができ、リードスクリュー１１０，１２０の配列方向におけるレンズ鏡筒１のサイズをコンパクト化することができる。
（２）リードスクリュー１１０，１２０、モータ１３０，１４０を支持するモータホルダ部３を設けてこれらをモジュール化し、鏡胴部２に対して着脱可能としたから、レンズ鏡筒１の組立工程を簡素化することができる。
（３）第２レンズ群４０、第３レンズ群５０をガイドするガイド軸４をリードスクリュー１１０，１２０と隣接して設けたから、駆動力によって第２レンズ群４０、第３レンズ群５０がガイド軸４との接続部回りに回転して傾斜することを防止でき、摩擦を低減するとともに、駆動精度を向上することができる。
（４）第２レンズ群４０、第３レンズ群５０を共通のガイド軸４によってガイドしているから、これらが相互に偏心することを防止でき、また、各群の移動範囲が部分的に重複する構成とすることができる。
（５）ＮＤフィルタ駆動部６２を、モータ１４０に対して光軸Ｉ２を挟んだ反対側に配置したから、ＮＤフィルタ駆動部６２を光軸Ｉ２方向対物側に寄せて配置することができ、レンズ鏡筒１の外形をコンパクトにすることができる。
（６）対物レンズ１０と第１レンズ群３０とは、その相互に隣接する部分においてレンズの外周縁部を切り落とした形状としたから、これらのレンズをその干渉を防止しつつ相互に近づけて配置することができ、レンズ鏡筒１の外形をコンパクトにすることができる。また、レンズの片側のみを切り落とした形状としたから、円形のレンズを加工してこのような形状を成形する場合に、加工に要する工数が低減される。
【００３７】
（変形例）
本発明は、以上説明した各実施例に限定されることなく、種々の変形や変更が可能であって、それらも本発明の均等の範囲内である。
（１）実施例は、いわゆる屈曲光学系を備えるものであったが、本発明は屈曲部を持たない光学系であっても適用することができる。
また、レンズ鏡筒の用途も実施例のようなデジタルスチルカメラ用のものに限定されない。
（２）実施例は、例えば２本の駆動軸を有するものであったが、３本以上の駆動軸を有する場合であっても、その少なくとも２本に接続された駆動部を異なった側に設けることによってレンズ鏡筒のコンパクト化を図ることができる。
（３）駆動軸及び駆動部を支持部材に予め装着してモジュール化することによって組立を簡素化することは、実施例のように複数の駆動部をそれぞれ対応する駆動部の異なった側に互い違いに配置する場合に限らず、同じ側に並列して設けるようにしても同様の効果を得ることができる。
【図面の簡単な説明】
【００３８】
【図１】図１は、本発明を適用したレンズ鏡筒の実施例を対物レンズの光軸側から見た外観図である。
【図２】図１のII−II部矢視断面図である。
【図３】図２のIII―III部矢視断面図である。
【図４】図３のIV−IV部矢視断面図である。
【図５】図３のV−V部矢視断面図である。
【図６】図１のレンズ鏡筒の対物レンズ及び第１レンズ群の構成を示す図である。
【図７】図１のレンズ鏡筒をＣＣＤが設けられる側から見た外観斜視図である。
【図８】図１のレンズ鏡筒の組立方法を示す模式図である。
【図９】本発明の比較例のレンズ鏡筒におけるリードスクリュー及びモータの配置を示す模式図である。
【図１０】図１のレンズ鏡筒におけるリードスクリュー及びモータの配置を示す模式図である。
【符号の説明】
【００３９】
１    レンズ鏡筒
２    鏡胴部
３    モータホルダ部
４    ガイド軸
５    回転防止軸
１０    対物レンズ
２０    プリズム
３０    第１レンズ群
３１，３２    レンズ
４０    第２レンズ群
４２    レンズホルダナット
５０    第３レンズ群
５２    レンズホルダナット
６０    シャッタユニット
６１    シャッタ駆動部
６２    ＮＤフィルタ駆動部
７０    第４レンズ群
８０    ローパスフィルタ（ＬＰＦ）
９０    ＣＣＤ
１１０，１２０    リードスクリュー
１３０，１４０    モータ
Ｉ１，Ｉ２    光軸
【図１】
2006258848.tif 000003
【図２】
2006258848.tif 000004
【図３】
2006258848.tif 000005
【図４】
2006258848.tif 000006
【図５】
2006258848.tif 000007
【図６】
2006258848.tif 000008
【図７】
2006258848.tif 000009
【図８】
2006258848.tif 000010
【図９】
2006258848.tif 000011
【図１０】
2006258848.tif 000012